(57)【要約】【課題】  環境条件の変化、及びプロセス条件の変化があっても、最適な振幅を持つ信号を送信でき、かつ、最適な受信性能にて信号を受信できる送受信装置を提供すること【解決手段】送信振幅、及び受信振幅を検知する振幅検知回路111と、送信振幅を保持する送信信号レジスタ112と、受信振幅を保持する受信信号レジスタ113と、環境条件を検出する環境条件検出回路117と、プロセス条件を検出するプロセス条件検出回路118と、送信振幅、環境条件、及びプロセス条件に基づいて、送信性能係数を出力する送信性能係数回路114と、受信振幅、環境条件、及びプロセス条件に基づいて、受信性能係数を出力する受信性能係数回路115と、送信データの送信の際、上記送信性能係数に従って、送信振幅を調節する送信部１１と、受信データの受信の際、上記受信性能係数に従って、受信性能を調節する受信部１２とを具備する。【選択図】      図１
2006174066.tif 000002
【特許請求の範囲】
【請求項１】
送信振幅、及び受信振幅を検知する振幅検知回路と、
前記検知した送信振幅を保持する送信信号レジスタと、
前記検知した受信振幅を保持する受信信号レジスタと、
環境条件を検出する環境条件検出回路と、
プロセス条件を検出するプロセス条件検出回路と、
前記送信信号レジスタからの送信振幅と、前記環境条件検出回路からの環境条件と、前記プロセス条件検出回路からのプロセス条件とに基づいて、送信性能係数を出力する送信性能係数回路と、
前記受信信号レジスタからの受信振幅と、前記環境条件検出回路からの環境条件と、前記プロセス条件検出回路からのプロセス条件とに基づいて、受信性能係数を出力する受信性能係数回路と、
前記送信データの送信の際、前記送信性能係数に従って、送信振幅を調節する送信部と、
前記受信データの受信の際、前記受信性能係数に従って、受信性能を調節する受信部と
を具備することを特徴とする送受信装置。
【請求項２】
前記送信部は、前記送信信号レジスタに保持された送信振幅、前記環境条件、及び前記プロセス条件に基づいた送信性能係数に従って、送信振幅を調節し、
前記振幅検知回路は、前記送信した送信信号の送信振幅を検知し、
前記送信信号レジスタは、前記検知した送信振幅を、新たに保持することを特徴とする請求項１に記載の送受信装置。
【請求項３】
前記受信部は、前記受信信号レジスタに保持された受信振幅、前記環境条件、及び前記プロセス条件に基づいた受信性能係数に従って、受信性能を調整し、
前記振幅検知回路は、前記受信した受信信号の受信振幅を検知し、
前記受信信号レジスタは、前記検知した受信振幅を、新たに保持することを特徴とする請求項１及び請求項２いずれかに記載の送受信装置。
【発明の詳細な説明】
【技術分野】
【０００１】
本発明は送受信装置に係わり、特に、送信性能、及び受信性能を調節する送受信装置に関する。
【背景技術】
【０００２】
送信信号ＴＸの場合、その出力振幅が、環境条件（送受信装置周囲の温度等）、プロセス条件（トランジスタのしきい値等）に起因し、規格のセンター振幅に合わない場合がある。
【０００３】
送信信号ＴＸの振幅が大きい場合には余分な電流を流すことになり、送受信装置の消費電力が増大する。反対に、小さい場合には通信品質が損なわれる。
【０００４】
受信信号ＲＸの場合も同様に、上記環境条件、上記プロセス条件に起因し、最小振幅を受信できない場合がある。
【０００５】
通常は、最悪条件においても受信可能となるように設計されるので、規格のセンター振幅を受信する場合は過剰マージンとなり、余分な電流を流すことになる。このため、送受信装置の消費電力が増大する。
【０００６】
なお、受信した信号の振幅を検知し、振幅の幅が一定となるよう、利得制御手段に帰還制御をかける受信装置は、特許文献１に記載されている。
【特許文献１】特開２００１−１１１９１５号公報
【発明の開示】
【発明が解決しようとする課題】
【０００７】
この発明は、環境条件の変化、及びプロセス条件の変化があっても、最適な振幅を持つ信号を送信でき、かつ、最適な受信性能にて信号を受信できる送受信装置を提供する。
【課題を解決するための手段】
【０００８】
この発明の一態様に係る送受信装置は、送信振幅、及び受信振幅を検知する振幅検知回路と、前記検知した送信振幅を保持する送信信号レジスタと、前記検知した受信振幅を保持する受信信号レジスタと、環境条件を検出する環境条件検出回路と、プロセス条件を検出するプロセス条件検出回路と、前記送信信号レジスタからの送信振幅と、前記環境条件検出回路からの環境条件と、前記プロセス条件検出回路からのプロセス条件とに基づいて、送信性能係数を出力する送信性能係数回路と、前記受信信号レジスタからの受信振幅と、前記環境条件検出回路からの環境条件と、前記プロセス条件検出回路からのプロセス条件とに基づいて、受信性能係数を出力する受信性能係数回路と、前記送信データの送信の際、前記送信性能係数に従って、送信振幅を調節する送信部と、前記受信データの受信の際、前記受信性能係数に従って、受信性能を調節する受信部とを具備する。
【発明の効果】
【０００９】
この発明によれば、環境条件の変化、及びプロセス条件の変化があっても、最適な振幅を持つ信号を送信でき、かつ、最適な受信性能にて信号を受信できる送受信装置を提供できる。
【発明を実施するための最良の形態】
【００１０】
以下、この発明の実施形態のいくつかを、図面を参照して説明する。この説明に際し、全図にわたり、共通する部分には共通する参照符号を付す。
【００１１】
（第１実施形態）
図１は、この発明の第１実施形態に係る送受信装置、及びそのネットワークを示す図である。
【００１２】
図１に示すように、第１実施形態に係る送受信装置１の入出力端子Ｄ＋、Ｄ−は、伝送路、例えば、ケーブル２に接続され、送受信装置１は、ケーブル２を介して別の送受信装置３と接続される。送受信装置１は、別の送受信装置３との間で通信を行う。
【００１３】
第１実施形態に係る送受信装置１は、送信部１１、受信部１２に加えて、送受信装置性能調整回路１３を有する。
【００１４】
送受信装置性能調整回路１３は、振幅検知回路１１１、送信信号レジスタ１１２、受信信号レジスタ１１３、送信信号性能係数回路１１４、受信信号性能係数回路１１５、リセット信号発生回路１１６、環境条件検出回路１１７、及びプロセス条件検出回路１１８を含む。
【００１５】
振幅検知回路１１１は、送信信号ＴＸ、及び受信信号ＲＸの振幅を検知し、検知出力ＶＯＵＴを出力する。送信の場合、検知出力ＶＯＵＴは送信信号レジスタ１１２へと送られ、受信の場合、検知出力ＶＯＵＴは受信信号レジスタ１１３へと送られる。送信の場合の動作波形図を図２に、受信の場合の動作波形図を図３に示す。
【００１６】
（送信の場合）
図２に示すように、送信イネーブル信号TX_ENABLEが“Ｌ”から“Ｈ”となる。信号TX_ENABLEは、送信部１１に入力されるとともに、送信信号レジスタ１１２、及びリセット信号発生回路１１６に入力される。信号TX_ENABLEが“Ｈ”の間、送信部１１は活性状態となり、送信データTX_DATAを送信信号ＴＸに変換する。
【００１７】
送信信号ＴＸは入出力端子Ｄ＋、Ｄ−に与えられ、ケーブル２を介して、別の送受信装置３に送信される。これとともに、送信信号ＴＸは、振幅検知回路１１１に与えられる。振幅検知回路１１１は、送信信号ＴＸの振幅を検知し、検知出力ＶＯＵＴを出力する。信号TX_ENABLEが“Ｈ”の間、例えば、送信信号レジスタ１１２は入力禁止となっており、送信信号レジスタ１１２の出力TX_REGは、前回の検知出力ＶＯＵＴに基づいた送信振幅データTX_Q0となっている。送信振幅データTX_Q0は、送信信号性能係数回路１１４に与えられる。
【００１８】
送信信号性能係数回路１１４は、送信振幅データTX_Q0に、環境条件データE.C.、及びプロセス条件データP.C.に基づいて、TX_性能係数（送信性能係数）を算出し、送信部１１に与える。環境条件データE.C.は、環境条件検出回路１１７から出力される。検出回路１１７は、送受信装置１の周囲の環境、例えば、温度等に基づいて、環境条件を検出し、検出した環境条件から環境条件データE.C.を算出する。プロセス条件データP.C.は、プロセス条件検出回路１１８から出力される。検出回路１１８は、例えば、しきい値等に基づいて、プロセス条件を検出し、検出したプロセス条件からプロセス条件データP.C.を算出する。ここでいうプロセス条件とは、ＩＣ製造的なものであり、例えば、製造ばらつきに起因したトランジスタしきい値の変化（ばらつき）である。
【００１９】
送信部１１は、与えられたTX_性能係数に基づいて、送信信号ＴＸの振幅を調整する。なお、最初の送信の際のTX_性能係数は、前回の送信振幅データTX_Q0、環境条件データE.C.、プロセス条件データP.C.に基づいた係数TX_K0である。
【００２０】
この後、送信イネーブル信号TX_ENABLEが“Ｈ”から“Ｌ”となる。信号TX_ENABLEが“Ｈ”から“Ｌ”に立ち下がった時、例えば、送信信号レジスタ１１２は入力許可となり、送信信号レジスタ１１２の出力TX_REGは、今回の検知出力ＶＯＵＴに基づいた送信振幅データTX_Q1に変更される。送信信号性能係数回路１１４は、変更された送信振幅データTX_Q1に、環境条件データE.C.、及びプロセス条件データP.C.に基づいた係数TX_K1を出力する。
【００２１】
この後、リセット信号発生回路１１６から“Ｈ”のリセット信号VOUT_RESETが一時的に、例えば、パルス状に出力され、振幅検知回路１１１に入力される。振幅検知回路１１１の検知出力ＶＯＵＴは、例えば、ゼロレベルにリセットされる。
【００２２】
この後、送信イネーブル信号TX_ENABLEが、再度“Ｌ”から“Ｈ”となり、上述の動作を繰り返す。この際のTX_性能係数は、振幅データTX_Q1、環境条件データE.C.、プロセス条件データP.C.に基づいた係数TX_K1であるから、送信信号ＴＸは、最適な振幅に調節されたものとなる。
【００２３】
TX_性能係数と、送信信号ＴＸの振幅との関係の一例を、図４に示す。
【００２４】
図４に示すように、TX_性能係数と送信信号ＴＸの振幅との間には、TX_性能係数を下げると、振幅が増す特性がある。本例によれば、この特性を、複数に段階設定できる。そして、段階設定された特性のうち、どの特性を採用するかは、環境条件、及びプロセス条件に基づいて決定することができる。
【００２５】
（受信の場合）
図３に示すように、別の送受信装置３からの受信信号ＲＸが、ケーブル２を介して入出力端子Ｄ＋、Ｄ−に与えられる。入出力端子Ｄ＋、Ｄ−に与えられた受信信号ＲＸは、受信部１２に与えられるとともに、振幅検知回路１１１に与えられる。なお、最初の受信の際のRX_性能係数（受信性能係数）は、前回の振幅データRX_Q0、環境条件データE.C.、プロセス条件データP.C.に基づいた係数RX_K0である。受信部１２は、係数RX_K0に基づいて、その受信性能を調節する。
【００２６】
振幅検知回路１１１は、受信信号ＲＸの振幅を検知し、検知出力ＶＯＵＴを出力する。検知出力ＶＯＵＴは、受信信号レジスタ１１３に入力される。受信信号レジスタ１１３は、信号ＥＯＰが“Ｈ”から“Ｌ”に立ち下がった時のみ、入力を受け付ける。信号ＥＯＰが“Ｌ”の状態、“Ｌ”から“Ｈ”に立ち上がった時、及び“Ｈ”の状態においては、入力を受け付けない。このため、受信信号レジスタ１１３の出力RX_REGは、前回の検知出力ＶＯＵＴに基づいた振幅データRX_Q0のままである。振幅データRX_Q0は、受信信号性能係数回路１１５に与えられる。信号ＥＯＰは、例えば、通信の区切りを示す信号であり、ページの区切りがきた時や、パケットの区切りがきた時に、パルス状に発生される。信号ＥＯＰは、リセット信号発生回路１１６にも入力される。
【００２７】
受信信号性能係数回路１１５は、振幅データRX_Q0に、環境条件データE.C.、及びプロセス条件データP.C.に基づいて、RX_性能係数を算出し、受信部１２に与える。
【００２８】
受信部１２は、上述の通り、与えられたRX_性能係数に基づいて、自身の受信性能を調節する。
【００２９】
この後、信号ＥＯＰが一時的に、例えば、パルス状に出力される。信号ＥＯＰが“Ｈ”から“Ｌ”に立ち下がった時、例えば、受信信号レジスタ１１３は入力許可となり、受信信号レジスタ１１３の出力RX_REGは、今回の検知出力ＶＯＵＴに基づいた振幅データRX_Q1に変更される。受信信号性能係数回路１１５は、変更された振幅データRX_Q1に、環境条件データE.C.、及びプロセス条件データP.C.に基づいた係数RX_K1を出力する。
【００３０】
この後、リセット信号発生回路１１６から“Ｈ”のリセット信号VOUT_RESETが一時的に出力され、振幅検知回路１１１に入力され、振幅検知回路１１１の検知出力ＶＯＵＴは、例えば、ゼロレベルにリセットされる。
【００３１】
この後、入出力端子Ｄ＋、Ｄ−に、受信信号ＲＸが与えられると、上述の動作を繰り返す。この際のRX_性能係数は、振幅データRX_Q1、環境条件データE.C.、プロセス条件データP.C.に基づいた係数RX_K1であるから、受信部１２の受信性能は、最適に調整されたものとなる。
【００３２】
RX_性能係数と、受信信号ＲＸの振幅との関係の一例を、図５に示す。
【００３３】
図５に示すように、RX_性能係数と受信信号ＲＸの振幅との間にも、RX_性能係数を下げると、振幅が増す特性がある。本例によれば、この特性を、複数に段階設定でき、段階設定された特性のうち、どの特性を採用するかは、環境条件、及びプロセス条件に基づいて決定することができる。
【００３４】
（第２実施形態）
第２実施形態は、第１実施形態の具体的な回路例に関する。
【００３５】
図６は、図１に示す送信部１１の一回路例を示す回路図である。
【００３６】
図６に示すように、送信部１１は、送信回路２０１と電流源回路２０２とを含む。電流源回路２０２は、電流源２１１と電流調節回路２１２とを含む。電流調節回路２１２は、電流源２１１からの電流を、TX_性能係数（TXCONT）に基づいて調節し、調節した電流を送信回路２０１に供給する。本例では、TX_性能係数（TXCONT）は、２ビットの信号として送信部１１に与えられる。２ビットの信号はデコード回路（DECODER）２１３に入力される。デコード回路２１３は、２ビットの信号をデコードし、例えば、４本の調節信号を出力する。調節信号は、電流調節回路２１２に入力され、例えば、４つのスイッチ回路から選ばれた一つを導通させる、あるいは導通させるスイッチ回路の数を設定する。従って、電流源回路２０２は、TX_性能係数（TXCONT）に基づいて、電流の、例えば、量を調節して送信回路２０１に供給でき、そして、送信回路２０１は、振幅データTX_Q1、環境条件データE.C.、プロセス条件データP.C.に基づいて最適な振幅に調節された送信信号ＴＸを出力できる。
【００３７】
図７は、図１に示す受信部１２の一回路例を示す回路図である。
【００３８】
図７に示すように、受信部１２は、受信回路３０１と、送信部１１と同様の電流源回路３０２とを含む。電流源回路３０２は、電流源３１１と電流調節回路３１２とを含み、電流源３１１からの電流を、RX_性能係数（RXCONT）に基づいて調節し、調節した電流を受信回路３０１に供給する。本例では、RX_性能係数（RXCONT）は２ビットの信号であり、送信部１１と同様に、デコード回路３１３において、例えば、４本の調節信号にデコードされる。４本の調節信号は、電流調節回路３１２内の、４つのスイッチ回路から選ばれた一つを導通させる、あるいは導通させるスイッチ回路の数を設定する。これにより、電流源回路３０２は、RX_性能係数（RXCONT）に基づいた、最適な電流を受信回路３０１に供給できる。この結果、受信回路３０１は、自身の受信性能を最適に調節することができる。
【００３９】
図８は、図１に示す振幅検知回路１１１の一回路例を示す回路図である。
【００４０】
図８に示すように、本例に係る振幅検知回路１１１は、入出力端子Ｄ＋に与えられた電位と、入出力端子Ｄ−に与えられた電位との差の平均値を測定する回路を含む。このような回路の一例は、例えば、入出力端子Ｄ＋の電位を、増幅器４０１を介して抵抗分割回路４０２の一端に入力し、入出力端子Ｄ−の電位を、増幅器４０３を介して抵抗分割回路４０２の他端に入力した回路である。増幅器４０１の入力端子（＋）には入出力端子Ｄ＋の電位が与えられ、その入力端子（−）には増幅器４０１の出力が入力される。同様に、増幅器４０３の入力端子（＋）には入出力端子Ｄ−の電位が与えられ、その入力端子（−）には増幅器４０３の出力が入力される。抵抗分割回路４０２の抵抗ｒ１の抵抗値と、ｒ２の抵抗値とは、例えば、ほぼ同じである。これにより、入出力端子Ｄ＋の電位と入出力端子Ｄ−の電位との差の平均値、即ち送信信号ＴＸの振幅の平均値、及び受信信号ＲＸの振幅の平均値がアナログ信号として抽出される。平均値を示すアナログ信号は、アナログ−デジタル変換器４０４に入力され、例えば、平均値のレベルを示すデジタル信号に変換される。このデジタル信号が検知出力ＶＯＵＴとなり、送信信号レジスタ１１２、又は受信信号レジスタ１１３に入力される。
【００４１】
図９Ａは、図１に示す環境条件検出回路１１７の一回路例を示す回路図である。
【００４２】
図９Ａに示す環境条件検出回路１１７は、環境条件のうち、特に、温度を検出する回路である。
【００４３】
本例の環境条件検出回路１１７は、高電位電源端子と低電位電源端子との間に直列に接続された電流源回路５０１と、ダイオード５０２とを含む。ダイオード５０２はカソードを低電位電源端子に接続し、アノードを電流源回路５０１に接続する。電流源回路５０１とダイオード５０２との接続ノードの電位ＶＦは温度によって変化する。具体的には、図９Ｂに示すように、電位ＶＦは、温度が上昇するに連れて低下する傾向を示す。このような電位ＶＦを、アナログーデジタル変換器５０３に入力して温度の変化を示すデジタル信号に変換する。これにより、環境条件検出回路１１７は、環境条件の変化、例えば、温度の変化を示す環境条件データE.C.を出力することができる。
【００４４】
図１０Ａは、図１に示すプロセス条件検出回路１１８の一回路例を示す回路図である。
【００４５】
図１０Ａに示すプロセス条件検出回路１１８は、プロセス条件のうち、特に、トランジスタのしきい値のばらつきを検出する回路である。
【００４６】
トランジスタは、そのしきい値が設計通りとなるように製造される。しかし、トランジスタは、ゲート電極等のパターニング工程（加工）、不純物の導入工程（イオン注入）、及び不純物の活性化工程（加熱）等を経て形成される。このため、ウェーハ面内やウェーハ毎に、ある程度の不確定な要素、例えば、パターニング量の偏在、注入量や注入深さの偏在、及び温度の偏在等を含んでしまう。これが、集積回路毎の微妙な特性の差、即ち特性のばらつきとして現れる。このばらつきが許容範囲内であるならば、良品である。良品であるから、集積回路としては何等の問題は無い。しかしながら、集積回路毎に、そのばらつきの位置を知り、このばらつきの位置を集積回路の動作に反映させることができれば、集積回路の性能は格段に向上する。これを実現するための回路が、プロセス条件検出回路１１８である。
【００４７】
本例のプロセス条件検出回路１１８は、高電位電源端子と低電位電源端子との間に直列に接続された電流源回路６０１と、トランジスタ（MOS Tr）６０２とを含む。トランジスタ６０２が、例えば、Ｎチャネル型トランジスタである場合には、そのソースは低電位電源端子に接続され、そのドレインは電流源回路６０１に接続される。そして、そのゲートはドレインに短絡される。電流源回路６０１とトランジスタ６０２との接続ノードの電位ＶＧは、トランジスタ６０２のしきい値によって変化する。具体的には、図１０Ｂに示すように、電位ＶＧは、しきい値が高い位置にあるほど、増加する傾向を示す。このような電位ＶＧを、アナログーデジタル変換器６０３に入力する。これにより、トランジスタ６０２のしきい値の位置に応じたデジタル信号を得ることができる。これは、集積回路毎に得られる。このように、プロセス条件検出回路１１８は、集積回路毎のプロセス条件のばらつきの位置、例えば、しきい値のばらつきの位置を示すプロセス条件データP.C.を出力することができる。
【００４８】
図１１Ａは、図１に示す送信信号性能係数回路１１４の一回路例を示す回路図である。
【００４９】
図１１Ａに示すように、送信信号性能係数回路１１４はＲＯＭ７０１を含む。送信信号レジスタ１１２の出力（送信振幅データ）TX_REG、環境条件データE.C.、及びプロセス条件データP.C.は、ＲＯＭ７０１に入力される。ＲＯＭ７０１は、これらのデータに基づいたTX_性能係数を出力する。TX_性能係数の値は、基本的に、送信振幅データTX_REGの値に基づいて決められる。
【００５０】
図１１Ｂは、TX_性能係数と送信振幅データTX_REGとの関係を示す特性図である。
【００５１】
図１１Ｂに示すように、TX_性能係数と送信振幅データTX_REGとの関係は、関数によって表すことができる。これが特性線…I〜III…である。本例では、特性線…I〜III…が複数設定される。これら特性線…I〜III…は、それぞれ環境条件データE.C.の値、及びプロセス条件データP.C.の値が考慮されたものである。これら特性線…I〜III…の中から最適な特性線が、環境条件データE.C.、及びプロセス条件データP.C.に基づいて選定される。
【００５２】
ＲＯＭ７０１には、例えば、特性線…I〜III…を示す特性線データが格納される。環境条件データE.C.、及びプロセス条件データP.C.はＲＯＭ７０１に入力された後、ここに格納された特性線データと、例えば、照合される。照合の結果、入力された値に適合した特性線データが選ばれ、特性線…I〜III…の中から最適な特性線が選定される。例えば、特性線IIが選定されたとする。この場合には、TX_性能係数の値は、ＲＯＭ７０１に入力された送信振幅データTX_REGの値と特性線IIとから決まる。例えば、TX_性能係数の値は、送信振幅データTX_REGの値と特性線IIとの交点となる。
【００５３】
図１２Ａは、図１に示す受信信号性能係数回路１１５の一回路例を示す回路図である。
【００５４】
図１２Ａに示すように、受信信号性能係数回路１１５は、送信信号性能係数回路１１４と同様の構成を持つ。即ち、ＲＯＭ８０１を持つ。ＲＯＭ８０１には、ＲＯＭ７０１と同様に、例えば、特性線…i〜iii…を示す特性線データが格納される。これら特性線…i〜iii…は、それぞれ環境条件データE.C.の値、及びプロセス条件データP.C.の値が考慮されたものである。ＲＯＭ８０１の動作は、ＲＯＭ７０１と同様であり、環境条件データE.C.、及びプロセス条件データP.C.がＲＯＭ８０１に入力された後、ここに格納された特性線データと、例えば、照合される。そして、入力された値に適合した特性線データが選ばれ、特性線…i〜iii…の中から最適な特性線が選定される。例えば、特性線iiが選定されたとする。この場合には、RX_性能係数の値は、ＲＯＭ８０１に入力された受信振幅データRX_REGの値と特性線iiとから決まる。例えば、RX_性能係数の値は、受信振幅データRX_REGの値と特性線iiとの交点となる。
【００５５】
以上、この発明をいくつかの実施形態により説明したが、この発明は各実施形態に限定されるものではなく、その実施にあたっては発明の要旨を逸脱しない範囲で種々に変形することが可能である。
【００５６】
例えば、送受信方式として、ケーブルを用いた有線方式を説明したが、もちろん無線方式も適用できる。
【００５７】
また、各実施形態は、それぞれ単独で実施することが可能であるが、適宜組み合わせて実施することも可能である。
【００５８】
また、各実施形態は、それぞれ種々の段階の発明を含んでおり、各実施形態において開示した複数の構成要件の適宜な組み合わせにより、種々の段階の発明を抽出することが可能である。
【００５９】
また、各実施形態は、この発明を送受信装置に適用した例に基づき説明したが、この発明は送受信装置に限られるものではなく、その送受信装置を内蔵した電子機器もまた、この発明の範疇である。
【図面の簡単な説明】
【００６０】
【図１】図１はこの発明の第１実施形態に係る送受信装置、及びそのネットワークを示す図
【図２】図２は送信の場合を示す動作波形図
【図３】図３は受信の場合を示す動作波形図
【図４】図４はTX性能係数と送信振幅との関係を示す図
【図５】図５はRX性能係数と受信振幅との関係を示す図
【図６】図６は図１に示す送信部の一回路例を示す回路図
【図７】図７は図１に示す受信部の一回路例を示す回路図
【図８】図８は図１に示す振幅検知回路の一回路例を示す回路図
【図９】図９Ａは図１に示す環境条件検出回路の一回路例を示す回路図、図９Ｂはその特性図
【図１０】図１０Ａは図１に示すプロセス条件検出回路の一回路例を示す回路図、図１０Ｂはその特性図
【図１１】図１１Ａは図１に示す送信信号性能係数回路の一回路例を示す回路図、図１１Ｂはその特性図
【図１２】図１２Ａは図１に示す受信信号性能係数回路の一回路例を示す回路図、図１２Ｂはその特性図
【符号の説明】
【００６１】
１１…送信部、１２…受信部、１１１…振幅検知回路、１１２…送信信号レジスタ、
１１３…受信信号レジスタ、１１４…送信性能係数回路、１１５…受信性能係数回路、
１１７…環境条件検出回路、１１８…プロセス条件検出回路。
【図１】
2006174066.tif 000003
【図２】
2006174066.tif 000004
【図３】
2006174066.tif 000005
【図４】
2006174066.tif 000006
【図５】
2006174066.tif 000007
【図６】
2006174066.tif 000008
【図７】
2006174066.tif 000009
【図８】
2006174066.tif 000010
【図９】
2006174066.tif 000011
【図１０】
2006174066.tif 000012
【図１１】
2006174066.tif 000013
【図１２】
2006174066.tif 000014